(57)【要約】【課題】開閉機構の構造を簡素化して簡単に組立てられる昇降吊戸棚を提供する。【解決手段】戸棚本体３が最上位置のときは前面扉５を閉塞すると共に、戸棚本体３が最上位置から降下するに従って前面扉５を漸次開放する開閉機構Ｌを備えた昇降吊戸棚１である。開閉機構Ｌは、戸棚本体３の側壁９の上部から下部に渡って手前側から奥側に湾曲するように延設されたガイドリブ１４と、前面扉５の裏面下部に略直交状に突設され、かつ戸棚本体３の昇降に伴ってガイドローラ１８がガイドリブ１４に沿って摺動することで前面扉５を開閉させる支持アーム１６とを有している。【選択図】図５
2008023107.tif 000002
【特許請求の範囲】
【請求項１】
上端を回動支点として開閉自在に設けられた前面扉を有する下方に開口した外箱と、この外箱の内部に収容可能に構成された戸棚本体と、前記戸棚本体を前記外箱の下方の開口から上下方向に出退自在に昇降させる駆動装置とを備えた昇降吊戸棚において、
前記戸棚本体が最上位置のときは前記前面扉を閉塞すると共に、前記戸棚本体が最上位置から降下するに従って前記前面扉を漸次開放する開閉機構を備え、
前記開閉機構は、前記戸棚本体の側面から突設され、かつ同本体の上部から下部に渡って手前側から奥側に湾曲するように延設されたガイドリブと、前記前面扉の裏面下部から奥側に突設され、かつ前記戸棚本体の昇降に伴って先端部が前記ガイドリブに沿って摺動することで前記前面扉を開閉させる支持アームとを有していることを特徴とする昇降吊戸棚。
【請求項２】
前記戸棚本体の側壁に、前記戸棚本体が最上位置のときは前記前面扉を閉塞状態でロックし、かつ前記戸棚本体が最上位置から降下すると当該前面扉のロックを解除するロック部が設けられている請求項１に記載の昇降吊戸棚。
【請求項３】
前記ガイドリブは、前記戸棚本体に一体成形されている請求項１又は２に記載の昇降吊戸棚。
【請求項４】
前記支持アームが、前記前面扉に着脱自在となっている請求項１〜３のいずれか一項に記載の昇降吊戸棚。
【請求項５】
前記駆動装置は、前記戸棚本体の最上位置での停止状態からの動き出し速度を、前記支持アームの先端部が前記ガイドリブでこじれないような速さに調整する請求項１〜４のいずれか一項に記載の昇降吊戸棚。
【請求項６】
前記ガイドリブは、前記戸棚本体の最上位置からの動き始めにおいては前記支持アームの先端部の前方向変位量が当該戸棚本体の下降量よりも大きくなるように湾曲している請求項１〜５のいずれか一項に記載の昇降吊戸棚。
【発明の詳細な説明】
【技術分野】
【０００１】
本発明は、台所の流し台の上方に設けられるに設けられる昇降吊戸棚に関する。
【背景技術】
【０００２】
従来の昇降吊戸棚として、特開２００５−２１２９７号公報に記載されているように、下方に開口しかつ上端を回動支点として開閉自在に設けられた前面扉を有する箱状の外箱と、この外箱の内部に収納可能に構成された戸棚本体と、この戸棚本体を外箱の下方の開口から上下方向に出退自在に昇降させる駆動装置とを備えたものが知られている。また、この昇降吊戸棚には、戸棚本体が最上位置のときは前面扉を閉塞すると共に、戸棚本体が最上位置から降下するに従って前面扉を漸次開放する開閉機構が設けられている。
【特許文献１】特開２００５−２１２９７号公報
【発明の開示】
【発明が解決しようとする課題】
【０００３】
上記特許文献１の昇降吊戸棚の開閉機構は三本のアームを有しており、これら各アームを互いに連結するピンやワッシャー、両側のアームを前面扉や戸棚本体に回動自在に設けるピン、ワッシャーや連結部材が必要とされている。当該昇降吊戸棚では、このように開閉機構の構造が複雑になっており組立て工数が多いという問題がある。
そこで、本発明はこのような従来技術の問題点に鑑み、開閉機構の構造を簡素化して簡単に組立てられる昇降吊戸棚を提供することを目的とする。
【課題を解決するための手段】
【０００４】
上記目的を達成するため、本発明は次の技術的手段を講じた。
すなわち、本発明は、上端を回動支点として開閉自在に設けられた前面扉を有する下方に開口した外箱と、この外箱の内部に収容可能に構成された戸棚本体と、前記戸棚本体を前記外箱の下方の開口から上下方向に出退自在に昇降させる駆動装置とを備えた昇降吊戸棚において、前記戸棚本体が最上位置のときは前記前面扉を閉塞すると共に、前記戸棚本体が最上位置から降下するに従って前記前面扉を漸次開放する開閉機構を備え、前記開閉機構は、前記戸棚本体の側面から突設され、かつ同本体の上部から下部に渡って手前側から奥側に湾曲するように延設されたガイドリブと、前記前面扉の裏面下部から奥側に突設され、かつ前記戸棚本体の昇降に伴って先端部が前記ガイドリブに沿って摺動することで前記前面扉を開閉させる支持アームとを有していることを特徴とする。
【０００５】
上記本発明の昇降吊戸棚によれば、戸棚本体の側壁に突設されたガイドリブと、前面扉の裏面下部に略直交状に設けられ、戸棚本体の昇降に伴って先端部がガイドリブに沿って摺動する支持アームとにより、前面扉が開閉自在となっているため、従来のように開閉機構の構造が複雑となっていない。
【０００６】
上記本発明において、前記戸棚本体の側壁に、前記戸棚本体が最上位置のときは前記前面扉を閉塞状態でロックし、かつ前記戸棚本体が最上位置から離れると当該前面扉のロックを解除するロック部が設けられていることが好ましい。
この場合、戸棚本体が最上位置で前面扉が閉塞状態のときに、地震等の揺れにより前面扉が開いて収納された食器が落下するのを防止することができる。また、戸棚本体が最上位置から離れたときは前面扉が開くので、使用者は収納された食器を適宜取り出すことができる。
【０００７】
上記本発明において、前記ガイドリブは、前記戸棚本体に一体成形されていることが好ましい。
この場合、戸棚本体の成形と同時にガイドリブが形成されるので、開閉機構の組立て工数を減少させることができる。
【０００８】
上記本発明において、前記支持アームが、前記前面扉に着脱自在となっていることが好ましい。
この場合、支持アームが損傷したとき等に交換作業を容易に行うことができる。
【０００９】
上記本発明において、前記駆動装置は、前記戸棚本体の最上位置での停止状態からの動き出し速度を、前記支持アームの先端部が前記ガイドリブでこじれないような速さに調整することが好ましい。
この場合、戸棚本体が最上位置から動き出す際に支持アームの先端部がガイドリブでこじれないので、支持アームの損傷や前面扉の作動不良を防止することができる。
【００１０】
上記本発明において、前記ガイドリブは、前記戸棚本体の最上位置からの動き始めにおいては前記支持アームの先端部の前方向変位量が当該戸棚本体の下降量よりも大きくなるように湾曲していることが好ましい。
支持アームの先端部の前方向変位量が戸棚本体の下降量よりも大きくなるということは、支持アームが突設されている前面扉の開放速度が戸棚本体の下降する速さに比べて速くなる。つまり、戸棚本体の最上位置からの動き始めには、戸棚本体が少し下降しただけでも前面扉は大きく開放される。従って、使用者は戸棚本体内の食器等を確認し易くなる。
【発明の効果】
【００１１】
上記の通り本発明の昇降吊戸棚によれば、戸棚本体の側面に突設されたガイドリブと、前面扉の裏面下部から奥側に突設された支持アームからなる開閉機構により、前面扉が開閉自在となっているため、開閉機構の構造が簡素化され当該昇降吊戸棚を簡単に組立てることができる。
【発明を実施するための最良の形態】
【００１２】
以下、図面を参照しつつ本発明の実施形態を説明する。図１は、本発明に係る昇降吊戸棚の一実施形態である。この昇降吊戸棚１は台所の流し台の上方に設置されるものであり、下方に開口する箱状の外箱２と、この外箱２の内部に収容可能な戸棚本体３とを備えている。また、この昇降吊戸棚１には、更に戸棚本体３を上下方向に昇降させる駆動装置４が設けられている。外箱２は、開閉自在に設けられた前面扉５と左右の側板６と背板７と天板８とから直方体状に構成されている。なお、前面扉５は上端を回動支点として天板８に回動自在に取り付けられており、その他の各部材は接着剤やネジ止めにより固定されている。
【００１３】
戸棚本体３は、外箱２の内部に収容可能な大きさで直方体に構成されており、前面に開口を有している。同戸棚本体３は樹脂製であり、左右の側壁９と背板１０と天板１１とから構成されている。また、戸棚本体３の内部には食器を載せる二段の棚３１が設けられ、同戸棚本体３の下端には、バー１２、駆動装置４を駆動させるためのスイッチ１３等が設けられている。この戸棚本体３は、駆動装置４が備える図示しないベルトにより外箱２の内部で吊り下げられた状態となっており、駆動装置４が駆動することで外箱２の下方の開口を通じて上下方向に出退自在に昇降するようになっている。
【００１４】
図２及び図３に示すように、戸棚本体３の側壁９の側面には、開閉機構Ｌを構成する所要幅のガイドリブ１４が突設されている。このガイドリブ１４は、側壁９の上部から下部に渡って手前側から奥側に湾曲して延設されている。このガイドリブ１４は、側壁９に一体成形されたものであり、これにより別部材としてガイドリブ１４を組み付ける手間を省くことができる。ガイドリブ１４は、上部の第一直線部１４１と、その下のＲ６００で形成された第一湾曲部１４２と、更にその下のＲ１８０で形成された第二湾曲部１４３と、終端の第二直線部１４４とで構成されている。従って、ガイドリブ１４は、上端から下端にかけて上部の直線から始め緩やかに湾曲して次第に急となり最後に再び直線となる。また、ガイドリブ１４の第二湾曲部１４３の終端近傍には、ロック部として円柱状のロックピン１５が側壁９の側面に一体成形により突設されている。
【００１５】
前面扉５は、透明の硝子５１を四方から樹脂製のフレーム５２で囲むことによって構成されている。図４に示すように前面扉５の上部には、天板８に取り付けるためのヒンジ２０が固定されている。また、同前面扉５の下端部には、ガイドリブ１４と共に開閉機構Ｌを構成する左右一対の支持アーム１６が配置されている。各支持アーム１６は、前面扉５の裏面下部において略直交状に取付部材１７を介して着脱自在に突設されている。従って、支持アーム１６が損傷したとき等に交換作業を容易に行うことができる。また、各支持アーム１６の先端部には、ガイドローラ１８が縦方向に回転自在に取り付けられている。
【００１６】
図５は、戸棚本体３が最上位置のときの状態を示し、図６は、戸棚本体３が最下位置のときの状態を示している。外箱２の側板６の内面前端には、上下方向に延びるガイド部材１９が当該内面と隙間を空けた状態で固定されている。そして、戸棚本体３の側壁９の前端部がその隙間に入り込んでおり、同戸棚本体３のガタツキが抑制されている。
支持アーム１６の先端部に設けられたガイドローラ１８は、戸棚本体３が最上位置のとき以外は前面扉５の自重によってガイドリブ１４に常に当接した状態となっている。つまり、支持アーム１６は、戸棚本体３が最上位置から離れた際には前面扉５とガイドリブ１４間の支え棒のような役目を果たす。
【００１７】
前面扉５における支持アーム１６の上下方向位置は、戸棚本体３が最上位置のとき（前面扉５が閉塞状態）に当該支持アーム１６がガイドリブ１４の第二直線部１４４の真下となる位置である。図５のように、戸棚本体３が最上位置にあり前面扉５が閉塞されている場合、支持アーム１６は略水平となり、かつガイドローラ１８は最も奥側まで入り込んでガイドリブ１４に接触していないか、接触していてもそれを押圧していない状態となっている。そして、戸棚本体３が最上位置から離れて下降し始めると、ガイドローラ１８がガイドリブ１４の湾曲面に沿って転がり摺動する。
【００１８】
そして、前面扉５の開放度が増していき戸棚本体３が最下位置まできたときに、前面扉５は図６の角度まで開放された状態となる。つまり、ガイドリブ１４と支持アーム１６からなる開閉機構Ｌは、戸棚本体３が最上位置にあるときは前面扉５を閉塞し、戸棚本体３が下降すると前面扉５を開放する。従って、前面扉５が閉塞された状態では戸棚本体３は外箱２に収容され、スイッチ１３が押されて戸棚本体３が下降し始めれば、それと共に前面扉５が開放され、棚３１に置かれている食器等の出し入れができる。また一方で、当該開閉機構Ｌは、支持アーム１６を前面扉５に取り付け、ガイドリブ１４を側壁９に形成するだけで非常に簡単に設置することができるという特徴を有している。
【００１９】
駆動装置４は、最上位置で停止状態にある戸棚本体３が非常にゆっくりと動き出すように当該戸棚本体３の速度を調整している。戸棚本体３が停止状態から急に動いてしまうと、支持アーム１６の先端部に設けられたガイドローラ１８がガイドリブ１４でこじれてしまうおそれがある。戸棚本体３が停止状態から非常にゆっくりとした速度で動かされることにより、ガイドローラ１８がこじれるのを防止することができる。このように、戸棚本体３が最上位置から動き出す際にガイドローラ１８がガイドリブ１４でこじれないので、支持アーム１６の損傷や前面扉５の作動不良を防止することができる。
【００２０】
また、ガイドリブ１４の第二湾曲部１４３は、支持アーム１６のガイドローラ１８の前方向変位量Ｘが戸棚本体３の下降量Ｙよりも大きくなるように湾曲している。具体的には、第二湾曲部１４３は、当該前方向変位量Ｘが戸棚本体３の下降量Ｙの２乗となるように湾曲している。これにより、支持アーム１６が突設されている前面扉５の開放速度が戸棚本体３の下降する速さに比べて速くなる。つまり、戸棚本体３の最上位置からの動き始めには、戸棚本体３が少し下降しただけでも前面扉５は大きく開放される。従って、使用者は戸棚本体３内の食器等を確認し易くなる。なお、このように前面扉５が大きく開放されるようにするには、ガイドローラ１８の前方向変位量Ｘが戸棚本体３の下降量Ｙのｎ乗（ｎ＞１、例えばｎ＝２，３，４・・・・）となるように第二湾曲部１４３を湾曲させればよい。
【００２１】
また、戸棚本体３の側壁９に設けられたロックピン１５は、前面扉５をロックするためのものである。ロックピン１５は、ガイドリブ１４の第二湾曲部１４３の下端近傍に位置している。前面扉５が閉塞された状態では、ガイドローラ１８はロックピン１５の奥側に位置している（図５参照）。この状態のままで前面扉５を手前に引くと、ガイドローラ１８は前面扉５の上端を支点として円弧状に動こうとするがロックピン１５に引っ掛かる。つまり、戸棚本体３が最上位置にあるときは、前面扉５を開けようとしてもガイドローラ１８近傍がロックピン１５に引っ掛かって前面扉５はロックされた状態となっている。
【００２２】
戸棚本体３が下降し始めると、ロックピン１５も図５の位置から下がる。それと同時に、ガイドローラ１８は、ガイドリブ１４に接触してロックピン１５に対して斜め前方側へ離間するので同ロックピン１５には引っ掛からない。つまり、戸棚本体３が外箱２に完全に収容されているときは、ロックピン１５により前面扉５を開けることはできず、戸棚本体３が最上位置から降下を始めると前面扉５のロックが解除される。これにより、戸棚本体３が外箱２に収納されているときは、地震等の揺れがあっても前面扉５が開くことで収納された食器等が飛び出して落下してしまうのを防止することができる。なお、本実施形態では、ロック部として円柱状のロックピン１５を形成したが、当該ロック部として他の形態ものを採用してもよい。例えば、ロックピンは円柱状に限られず他の断面形状のものとしてもよく、また、側壁９の側面に突設した軸部材にローラを回転自在に設けたようなものでよい。つまり、当該ロック部は、上述のように戸棚本体３が外箱２に完全に収容されているときは、前面扉５をロックし、戸棚本体３が最上位置から降下を始めると前面扉５を解除するものであればどのような形態のものでもよい。
【００２３】
本実施形態の昇降吊戸棚１によれば、戸棚本体３の側壁９に突設されたガイドリブ１４と、前面扉５の裏面下部に略直交状に突設され、戸棚本体３の昇降に伴ってガイドローラ１８がガイドリブ１４に沿って転がり摺動する支持アーム１６とにより、前面扉５が開閉自在となっているため、従来のように開閉機構の構造が複雑となっていない。そのため、当該昇降吊戸棚１を簡単に組立てることができる。また、ガイドリブ１４が、側壁９に一体成形されているため、上述のように別体のガイドリブを組み付ける手間を省くことができる他、当該ガイドリブ１４を精度良く設けることができ、かつ当該ガイドリブ１４がガタつくことがない。これにより、戸棚本体３や前面扉５の作動不良が無くなると共に、昇降吊戸棚１の耐久性も向上させることができる。
【００２４】
なお、上記実施形態はすべて例示であって制限的なものではない。本発明の技術的範囲は特許請求の範囲によって規定され、そこに記載された構成と均等の範囲内のすべての変更も本発明の技術的範囲に含まれる。上記実施形態で採用したガイドリブ１４の形状は一例に過ぎず、その形状は適宜変更することができる。また、ガイドリブ１４を設ける位置についても適宜変更することができる。ガイドリブ１４の形状に変更に伴い、支持アーム１６の長さや形状も変更可能である。更に、ガイドリブ１４の先端部に設けたガイドローラ１８の替わりに、同先端部に摺動部材を設けてガイドリブ１４上を滑らせてもよい。
【図面の簡単な説明】
【００２５】
【図１】本発明に係る昇降吊戸棚の一実施形態を示す全体斜視図である。
【図２】戸棚本体の側面図である。
【図３】（ａ）は図２のＡ−Ａ線断面図であり、（ｂ）は側壁の側面図である。
【図４】前面扉の側面図である。
【図５】戸棚本体が収容された状態における昇降吊戸棚の側板なしの側面図である。
【図６】戸棚本体が下降した状態における昇降吊戸棚の側板なしの側面図である。
【符号の説明】
【００２６】
１    昇降吊戸棚
２    外箱
３    戸棚本体
５    前面扉
９    側壁
１４  ガイドリブ
１５  ロックピン
１６  支持アーム
１８  ガイドローラ
Ｌ    開閉機構
【図１】
2008023107.tif 000003
【図２】
2008023107.tif 000004
【図３】
2008023107.tif 000005
【図４】
2008023107.tif 000006
【図５】
2008023107.tif 000007
【図６】
2008023107.tif 000008